(57)【要約】【課題】通行を妨げず、かつ、高所での伐採作業の効率を向上させることが可能な高所作業用の導入筒を提供する。【解決手段】高所作業用の導入筒は、入口保持具２１０により入口が開口した状態に保持され、その２ｍ下に取り付けられる錘となる下方保持具２１２により、入口から２ｍの部分が筒状に保持される。そのため、伐採した枝等を容易に投入することができる。また、入口から２ｍの部分はもちろん、その他の部分も案内紐通リング３に通された案内紐９により風に煽られてもなびかないので、伐採した枝を導入筒内を通して確実に落下させることができる。従って、この導入筒を用いると、通行の妨げとなる枝を落とすための広い場所を確保する必要がなく、しかも、通行人が通るたびに伐採作業を中断する必要がないので、通行を妨げず、かつ、高所での伐採作業の効率を向上させることができる。【選択図】図２
2014148369.tif 000002
【特許請求の範囲】
【請求項１】
高所作業時の作業場所から延設された筒状の導入筒本体（２）と、
前記導入筒本体の入口を開口した状態に保持する入口保持具（２１０）と、
該入口保持具で開口した前記入口を上方に向けて開口させたときに前記入口に対して所定距離下方に位置し、該位置の前記導入筒本体の形状を筒状に保持するとともに錘となる重さを有する下方保持具（２１２）と、
を備えることを特徴とする高所作業用の導入筒。
【請求項２】
請求項１に記載の高所作業用の導入筒において、
前記導入筒本体は、
複数の筒状に形成された分割片（２１〜２３）を連結して形成されることを特徴とする高所作業用の導入筒。
【請求項３】
請求項２に記載の高所作業用の導入筒において、
前記分割片は、
前記導入筒本体を形成したとき出口側となる側の端部に、該端部を閉じて袋状にする袋状閉手段（４，５）を備えることを特徴とする高所作業用の導入筒。
【請求項４】
請求項１〜３のいずれか１項に記載の高所作業用の導入筒において、
前記導入筒本体には、
当該導入筒本体を高所作業を行う作業場所から落下場所まで導く案内紐（９）を通す案内紐通リング（３）が、当該導入筒本体の外周側面に間隔を置いて複数取り付けられていることを特徴とする高所作業用の導入筒。
【請求項５】
請求項１，４のいずれか１項に記載の高所作業用の導入筒において、
前記導入筒本体は、
複数の筒状に形成された分割片を連結して形成され、
前記各分割片は、
バックルを用いて連結することを特徴とする高所作業用の導入筒。
【請求項６】
請求項１〜５のいずれか１項に記載の高所作業用の導入筒において、
前記導入筒本体は、
絶縁性を有する材料で形成されていることを特徴とする高所作業用の導入筒。
【請求項７】
請求項１〜６のいずれか１項に記載の高所作業用の導入筒において、
前記導入筒本体の入口側を引っ掛ける引掛部（３３）
を備えることを特徴とする高所作業用の導入筒。
【発明の詳細な説明】
【技術分野】
【０００１】
本発明は、高所作業用の導入筒に関する。
【背景技術】
【０００２】
従来、配電線にかかった樹木の枝を伐採する場合、バケット車を用い、伸縮アームの先に取り付けられたバケットを伐採位置付近まで伸ばし、バケットに乗った作業員がそれら樹木の枝を伐採し、その伐採した枝をそのまま直下に落下させるなどしていた。
【発明の概要】
【発明が解決しようとする課題】
【０００３】
しかし、伐採した枝を落下させると付近を通る通行人や車両等に当たる虞があるので、その安全対策として、風の影響や枝の大きさや周辺状況などにより、枝を落とすための広い場所を確保していたが、通行の妨げになっていた。
【０００４】
また、広い場所が確保できない場合は、通行人等が通るたびに伐採作業を中断せねばならず作業効率が悪かった。
本発明は、通行を妨げず、また、ある程度の風や天候の影響を受けにくく、かつ、高所での伐採作業の効率を向上させることが可能な高所作業用の導入筒を提供することを目的とする。
【課題を解決するための手段】
【０００５】
この目的を達成するためになされた請求項１に記載の高所作業用の導入筒に関する発明は、高所作業時の作業場所から延設された筒状の導入筒本体と、前記導入筒本体の入口を開口した状態に保持する入口保持具と、該入口保持具で開口した前記入口を上方に向けて開口させたときに前記入口に対して所定距離下方に位置し、該位置の前記導入筒本体の形状を筒状に保持するとともに錘となる重さを有する下方保持具と、を備えることを特徴とする。尚、ここでいう「導入筒」は、「落下筒」や「滑降筒」ともいう。
【０００６】
この高所作業用の導入筒では、入口保持具及び下方保持具により、導入筒本体の入口が開口した状態に保持され、また、下方保持具が取り付けられた部分が筒状に保持され、さらに、この下方保持部が錘となることで、導入筒本体の入口から下方保持具までの形状が筒状に保持される。
【０００７】
そのため、この高所作業用の導入筒は、風の影響を受けやすい高所で作業をしても、入口から下方保持具が取り付けられた位置までの形状が保持されるので、高所作業時でも伐採した枝等を導入筒本体内に容易に挿入することができる。
【０００８】
また、この高所作業用の導入筒は、高所作業時の作業場所から落下場所まで導入筒本体を延設すれば、その作業場所から落下場所まで伐採した枝等を落下させる固定した落下ルートが形成される。
【０００９】
そのため、この高所作業用の導入筒を用いると、伐採した枝等を導入筒本体内に入口から容易に挿入することができる上に、その挿入した枝等を、導入筒本体を通して高所作業時の作業場所から落下場所まで安全に落下させることができる。
【００１０】
従って、本発明の高所作業用の導入筒を用いると、伐採作業等の高所作業を行う場合でも、地上では導入筒を設けるだけの場所を確保するだけでよく、しかも、通行人が通るたびに伐採作業を中断する必要もないので、通行を妨げることなく、かつ、その作業効率を従来に比べ飛躍的に向上させることができる。
【００１１】
尚、高所作業は伐採作業に限るものではない。例えば、カラス等の巣の撤去作業、配線作業等が想定される。
また、この導入筒を用いて落下させるものとしては、伐採した枝等に限るものではない。例えば、通信ケーブル敷設作業時に発生する廃材や、配電線の敷設作業時に発生する廃材や、配電線等の仮止めに用いる針金や、細かな部品、カラス等の巣など様々なものが想定される。
【００１２】
次に、請求項２に記載したように、導入筒本体については、複数の筒状に形成された分割片を連結して形成されるものでもよい。このように構成すると、分割片の取り外しにより長さ調整をすることができる。また、このように導入筒本体を分割することができると、持ち運びや保管に便利である。
【００１３】
そして、この分割片については、請求項３に記載したように、導入筒本体を形成したとき出口側となる側の端部に、この端部を閉じて袋状にする袋状閉手段を備えることが好ましい。この袋状閉手段を備えると、伐採作業のあと、伐採した枝等を詰める袋として各分割片を利用することができる。
【００１４】
次に、請求項４に記載したように、導入筒本体には、導入筒本体を高所作業を行う作業場所から落下場所まで導く案内紐を通す案内紐通リングが、導入筒本体の外周側面に間隔を置いて複数取り付けられているとよい。
【００１５】
高所作業の際は、導入筒本体が風で煽られることがあるが、少なくともその風で煽られる部分に案内紐を通しておくと、導入筒が風で煽られることを防止できる。
また、導入筒本体を設置する際、先に案内紐を設置しておけば、この案内紐に案内紐通リングを通すだけで、その案内紐に沿って導入筒本体を設置することができる。
【００１６】
尚、案内紐通リングとしては、カラビナを用いてもよい。
次に、請求項５に記載したように、導入筒本体が複数の筒状に形成された分割片を連結して形成される構造である場合、各分割片は、バックルを用いて連結するようにしてもよい。その他、チャックやボタンや面ファスナを用いて連結するようにしてもよい。連結方法については特にバックルに限られるものではない。
【００１７】
次に、請求項６に記載したように、導入筒本体は、絶縁性を有する材料で形成されていることが好ましい。電線などに触れて感電する可能性があるためである。
次に、請求項７に記載したように、導入筒本体の入口側には、この入口側を引っ掛ける引掛部を備えることが好ましい。
【００１８】
導入筒を高所作業車のバケットに取り付ける際に、この引掛部を用いれば、バケットに対し容易に固定することができる。
因みに、特許請求の範囲に記載された各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１９】
【図１】（ａ）は本実施形態の導入筒１を構成する導入筒本体の全体斜視図である。（ｂ）は本実施形態の導入筒１を高所作業用のバケットに取り付けた様子を示す模式図である。
【図２】（ａ）は本実施形態の導入筒１のうち導入筒本体２を構成する分割片２１の正面図で、入口保持具２１０及び下方保持具２１２については一点鎖線を用いて透過図で示している。（ｂ）は図（ａ）の円ａの拡大図で、入口保持具２１０については一点鎖線で、布材２１１と分割片２１とが重なる部分、及び、入口保持具２１０を保持する空間については点線を用いて透過図で示している。（ｃ）は図（ａ）の円ｂの拡大図で、下方保持具２１２については一点鎖線で、布材２１１と分割片２１とが重なる部分、及び、下方保持具２１２を保持する空間については点線を用いて透過図で示している。（ｄ）は図（ａ）の左側面図で、分割片２１の入口に対向する位置から入口をみた図である。
【図３】分割片２１の下端部分の一部拡大図で、閉紐５で分割片２１の下端を閉じた図である。
【図４】本実施形態の導入筒本体２を構成する分割片２３の正面図である。
【発明を実施するための形態】
【００２０】
以下に本発明の実施形態を図面と共に説明する。
本実施形態の高所作業用の導入筒１は、図１（ａ）に示すように、円筒形状に形成された導入筒本体２を備えている。
【００２１】
この導入筒本体２は、筒状に形成された複数の分割片２１〜２３を直列につないで形成されており、各分割片２１〜２３を接続する接続具として、本実施形態ではバックルを用いている。
【００２２】
また、導入筒本体２の外部表面には、導入筒１を高所作業用のバケットに取り付けるときに、導入筒本体２を高所から地上に案内するための案内紐９（図１（ｂ）参照）を通す複数の案内紐通リング３が設けられている。
【００２３】
導入筒本体２の外部表面には、導入筒本体２の軸方向に沿って間隔をあけて、一定幅を有するバンド部材３０が取り付けられる。
このバンド部材３０は、導入筒本体２の円周の長さよりも長く形成されており、導入筒本体２の外部表面上に円周方向に沿って縫いつけられる一方、余った部分で案内紐通リング３が導入筒本体２の左右にそれぞれ形成されるように、導入筒本体２に縫いつけられる。
【００２４】
案内紐通リング３は、上記のように形成されることによって、導入筒本体２の中心軸を通る一の断面で見たとき、その断面上で導入筒本体２の中心軸に沿って所定の間隔をあけて並べられ、かつ、導入筒本体２の中心軸を挟んで左右対称となるように導入筒本体２の外部表面上に形成される。
【００２５】
また、各バンド部材３０のうち、各分割片２１〜２３の出口側（下方側）のバンド部材３０には、導入筒本体２の軸方向に沿って延設された複数の第１副バンド部材３１が、導入筒本体２の円周方向に沿って略等間隔に取り付けられる。
【００２６】
この第１副バンド部材３１は、上下の中間部分４に閉紐５を通す紐通孔が導入筒本体２との間に形成されるように（図３参照）、バンド部材３０側（上方側）と下方側のみが導入筒本体２に縫いつけられる。
【００２７】
また、各第１副バンド部材３１の下端には、バックルの雌部材ＢＭが取り付けられている（図２（ａ）参照）。ただし、本実施形態では、最下端の分割片２３についてはバックルは取り付けられていないが（図４参照）、導入筒１を延長する場合に備えて、この分割片２３にもバックルの雌部材ＢＭが取り付けておいてもよい。
【００２８】
一方、各バンド部材３０のうち、分割片２２及び分割片２３の入口側（上方側）のバンド部材３０には、導入筒本体２の軸方向に沿って延設された複数の第２副バンド部材３２が、導入筒本体２の円周方向に沿って略等間隔に取り付けられている。
【００２９】
この第２副バンド部材３２は、一端がバンド部材３０に縫いつけられ、他端にバックルの雄部材ＢＯが取り付けられている（図４参照）。
次に、分割片２１について、図２を用いて説明する。
【００３０】
この導入筒本体２を構成する複数の分割片２１〜２３のうち、高所作業時に最も高い位置に配置される分割片２１は、他の分割片２２、２３とは異なり、図２（ａ）に示すように、入口の外周部分に入口保持具２１０、入口から軸方向に約２ｍ離れた位置の外周部分に下方保持具２１２を備えている。
【００３１】
これら入口保持具２１０及び下方保持具２１２は、分割片２１よりも大きな径のリング状に形成されている。
そして、これら入口保持具２１０及び下方保持具２１２は、分割片２１に取り付けるとき、図２（ｂ）（ｃ）に示すように、分割片２１の外側にこれら保持具を配置した後、一定幅を有するテープ状の布材２１１、２１３でこれら保持具を外側から覆い、これら布材２１１，２１３の幅方向の両側を分割片２１に縫いつけることにより、分割片２１に固定される。
【００３２】
入口保持具２１０は、上記のように分割片２１に固定されることによって、分割片２１の入口を開口した状態に保持する。
また、下方保持具２１２は、分割片２１の入口から軸方向に２ｍの位置を筒状に保持する。この下方保持具２１２は、分割片２１の入口を上方に向かって開口するように配置したとき、錘として機能する重さとなるものが使用されている。
【００３３】
次に、分割片２１は、他の分割片２２、２３とは異なり、図２（ｄ）に示すように、入口近傍に形成された一対の案内紐通リング３のうち片方の案内紐通リング３を挟むように、一対の引掛紐３３が縫いつけられている。
【００３４】
このように構成された高所作業用の導入筒１は次のようにして用いられる。
まず、高所作業をする高さに応じた数の分割片２１〜２３をバックルを用いて互いに接続し、軸方向につぶされるようにして畳む。
【００３５】
次に、導入筒本体２を構成する各分割片２１〜２３の各案内紐通リング３に案内紐９を通す。
これら案内紐９は左右両側に設置され、左側の案内紐９は、分割片２１の最も入口側の左側の案内紐通リング３に一端が結びつけられ、左側の他の案内紐通リング３には、結びつけられることなくそれぞれ挿通される。
【００３６】
また、右側の案内紐９は、分割片２１の最も入口側の右側の案内紐通リング３に一端が結びつけられ、右側の他の案内紐通リング３には、結びつけられることなくそれぞれ挿通される。
【００３７】
そして、これら案内紐９が通され、かつ、導入筒本体２が畳まれた状態で、バケットに運び込まれ、高所作業を行う位置にバケットで運ばれる。
次に、図１（ｂ）に示すように、まず、引掛紐３３を高所作業車のバケットの縁部にＳ字フックなどを用いて引っ掛け、また、案内紐９の他端を地上に下ろして固定する。
【００３８】
このとき、導入筒本体２はまだ、軸方向につぶされて畳まれたままである。
そして、この畳まれていた導入筒本体２を押さえていた手を離すと、導入筒本体２は案内紐９に案内されて滑り落ちながら伸びる。
【００３９】
そして、導入筒本体２が伸びきると、導入筒本体２のうち、入口保持具２１０と下方保持具２１２の間の部分は、下方保持具２１２が錘として機能するので、この下方保持具２１２の重みによって筒状の形状に保持される。
【００４０】
また、導入筒本体２のうち、下方保持具２１２より下方の部分も、案内紐９により、落下位置まで固定されることとなるので、風に煽られて移動したり、ばたつくこともない。
以上説明した高所作業用の導入筒１を用いると次のような作用効果がある。
【００４１】
この導入筒１は、入口保持具２１０により、導入筒本体２の入口は開口した状態に保持され、また、下方保持具２１２により導入筒本体２の入口からその下方２ｍの位置までの導入筒本体２の形状が下方保持具２１２の重さにより筒状に保持される。
【００４２】
そのため、この導入筒１は、高所における樹木の枝の伐採作業等の際、伐採した枝を導入筒本体２内に入れようとするとき、伐採した枝等を容易に投入することができる。
高所での伐採作業を行う場合、通常、高所でも扱い易い長さとして、人が両方の手を左右に広げたときに手と手の間に収まる程度の長さ（人の背丈ほどの長さ）に枝を切ることが多いので、本実施形態のように、入口から２ｍ程の部分が筒状に固定されていると、その伐採した枝を投入するのに都合がよい。
【００４３】
また、導入筒１は、下方保持具２１２の重さによって、入口から下方保持具２１２までの部分はもちろん、他の部分も案内紐９を用いることにより、風に煽られても導入筒がその風になびかないので、多少風の強い日でも、入口から投入した枝を下端の出口までスムーズに通すことができる。
【００４４】
なにより、高所での伐採作業の際、導入筒本体２に伐採した枝を通すことにより、高所から枝を落下させて下方にいる通行人や作業員等にケガを負わせるといった事故や、通行する車両を傷つけるといった事故をなくすことができる。
【００４５】
しかも、導入筒から枝を引き出すスペースさえ確保できればよいので、地上側で伐採した枝を落とすための広い場所を確保する必要もない。
また、本実施形態の導入筒１は、複数の分割片２１〜２３分割することができるので、持ち運びの際に便利である。
【００４６】
また、本実施形態の導入筒１は、各分割片２１〜２３に分割すると、各分割片２１〜２３の下端には紐通孔が設けられているので、図３に示すように、この紐通孔に閉紐５を通して閉紐５を縛ることで、各分割片２１〜２３の下端を閉じることができる。
【００４７】
このように各分割片２１〜２３の下端を閉じると、各分割片２１〜２３は、伐採した枝等を伐採場所から他の場所に持ち運ぶときに、その伐採した枝を詰め込む袋として利用することもできる。
【００４８】
（その他の実施形態）
本実施形態では、各分割片２１〜２３を接続する接続具としてバックルを用いたが、これに限られるものではない。例えば、各分割片２１〜２３同士を接続する部分にチャックを取り付け、このチャックを用いて各分割片２１〜２３を接続してもよいし、面テープ（マジックテープ（登録商標））を用いてもよい。
【００４９】
また、本実施形態では、下方保持具２１２を入口から２ｍの位置に設置したが、これに限られるものではない。
また、本実施形態では、導入筒本体２として円筒形状のものについて説明したが、軸方向に垂直な断面が円のものではなく、楕円でもよいし、四角形でもよいし、その他、用途に合わせてどのような形状にしてもよい。
【００５０】
また、本実施形態では、引掛紐３３を用いて高所作業用のバケットに導入筒１を固定する方法について説明したが、引掛紐３３以外の方法で固定してもよいことはもちろんである。
【００５１】
また、下方保持具２１２が設置される場所は、入口から約２ｍの位置に限られない。例えば、入口から１．５ｍ〜２．５ｍとしてもよく、より好ましくは１．８ｍ〜２．２ｍとしてもよいが、用途に応じて５０ｃｍなどとしてもよいし、下方保持具２１２の位置は用途に応じて様々に設定してよい。人が手を左右に伸ばした長さは、人の身長くらいであるが、これよりもやや長い入口から１．８ｍくらいに下方保持具２１２を設置してもよい。
【００５２】
また、本実施形態では、各分割片２１〜２３を接続する場合について説明したが、例えば、分割片２１だけを用い、その下端を閉紐５で閉じてバケットに取り付けておくことで、分割片２１は、伐採した枝等を収納するための袋としても用いることができる。
【００５３】
（対応関係）
本実施形態の紐通孔を形成する第１副バンド部材の中間部分４及び閉紐５は本発明の袋状閉手段（４，５）に相当する。
【００５４】
本実施形態の引掛紐３３は本発明の引掛部に相当する。
また、本発明は、特許請求の範囲に記載された発明の趣旨に合致するものであればよく、上述の実施形態に限定されるものではない。
【符号の説明】
【００５５】
１… 導入筒  ２… 導入筒本体  ３… 案内紐通リング  ４… 中間部分
５… 閉紐  ９… 案内紐  ２１〜２３… 分割片  ２２… 分割片  ３０… バンド部材  ３１… 第１副バンド部材  ３２… 第２副バンド部材  ３３… 引掛紐
２１０… 入口保持具  ２１１… 布材  ２１２… 下方保持具  ２１３… 布材
ＢＭ… 雌部材  ＢＯ… 雄部材
【図１】
2014148369.tif 000003
【図２】
2014148369.tif 000004
【図３】
2014148369.tif 000005
【図４】
2014148369.tif 000006